【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
火薬部と紙縒部とを有する線香花火又は線香花火に類似した花火（以下単に「線香花火等」という。）であって、前記火薬部が線香火薬と色火薬の火薬の層を有することを特徴とする線香花火等。
【請求項２】
火薬部と紙縒部とを有する線香花火等であって、前記火薬部が線香火薬と伝火薬と色火薬の３つの火薬の層を有することを特徴とする線香花火等。
【請求項３】
請求項１又は請求項２のいずれかに記載した線香花火等であって、色火薬を薄紙で包んだ構成としたことを特徴とする線香花火等。
【請求項４】
請求項１〜請求項３のいずれかに記載した線香花火等であって、線香火薬を薄紙で包んだ構成としたことを特徴とする線香花火等。
【手続補正２】
【補正対象書類名】明細書
【補正対象項目名】全文
【補正方法】変更
【補正の内容】
【発明の詳細な説明】
【発明の名称】変色する線香花火等
【技術分野】
【０００１】
本発明は、点火すると初めに白色（銀色とも呼ばれる）、赤色、緑色などの色彩を有する炎を発光した後に、いわゆる松葉状の火花である線香火花の発光をすることにより、途中で変色することを特徴とした線香花火又は線香花火に類似した花火（以下単に「線香花火等」という。）に関するものである。
【背景技術】
【０００２】
昔からの線香花火は、硝石と硫黄と、松の切り株を焼いたときにでるすすである松煙とで線香火薬（線香火花を発光する火薬）を作り、これを和紙で紙縒を作りながら包むことにより製造していた。
最近は硝酸カリウム、硫黄、木炭粉及び松脂とを混ぜて線香火薬を作り、線香火薬を包む薄紙も和紙に限定することなく、いろいろな薄紙が使用されている。
いずれにしても、従来の線香花火は、固有の趣を有するものではあるが、現象的には線香火花を発光するだけであった。そこで、単一の現象のみではなく、バリエーション豊かな線香花火等の創案を企画したものである。
【発明の開示】
【発明が解決しようとする課題】
【０００３】
本発明は、従来、単一の現象のみであった線香花火に対し、色彩を有する炎を発光する機能を持たせることにより、色彩を有する炎と線香火花の、２種類の現象を連続して楽しむことのできる花火とすることにある。
また、色彩を有する炎を発光した後に比較的早く線香火花を発光するものと、色彩を有する炎を発光した後に比較的遅く線香火花を発光するものと、異なる種類の線香花火等を提供することにある。
【課題を解決するための手段】
【０００４】
本発明は、線香火薬と色火薬の層を有する線香花火等としたこと及び線香火薬と伝火薬と色火薬の３つの火薬の層を有する線香花火等としたことを最も主要な特徴とする。
さらに、線香火薬や色火薬を薄紙で包む構成としたり、包まない構成としたことを特徴とする。
【発明の効果】
【０００５】
線香火薬と色火薬の火薬の層を有することを特徴とする線香花火としたため、点火すると初めに色彩を有する炎を発光した後に線香火花を発光する。このため２種類の火花を連続して楽しむことのできる線香花火等とすることができた。
また、色彩を有する炎を発光した後に比較的早く線香火花を発光するものと、色彩を有する炎を発光した後に比較的遅く線香火花を発光するものと、異なる種類の線香花火等を提供することができた。
【発明を実施するための最良の形態】
【０００６】
請求項１の発明は、火薬部と紙縒部とを有する線香花火等であって、前記火薬部が線香火薬と色火薬の火薬の層を有する線香花火等とする。
線香火薬は硝酸カリウム、硫黄、木炭粉及び松脂とを混ぜてなるものが好ましく、色火薬としてはそれぞれ紫、緑、赤、白、黄、青などを発光する、多種類の色火薬を使用することが可能である。
請求項２の発明は、火薬部と紙縒部とを有する線香花火等であって、前記火薬部が線香火薬と伝火薬と色火薬の３つの火薬の層を有することを特徴とする線香花火等とする。
線香火薬は硝酸カリウム、硫黄、木炭粉及び松脂とを混ぜてなるものが好ましく、伝火薬は硝酸カリウム、硫黄、木炭粉を混ぜてなるものが好ましい。
また、色火薬としてはそれぞれ紫、緑、赤、白、黄、青などを発光する、多種類の色火薬を使用することが可能である。
請求項３の発明は、請求項１又は請求項２のいずれかに記載した線香花火等であって、色火薬を薄紙で包んだ構成としたことを特徴とする線香花火等とする。
色火薬を薄紙で包むことにより、点火してから色彩を有する炎を発光し始めるまでの時間を少し遅くする効果が得られるからである。
請求項４の発明は、請求項１〜請求項３のいずれかに記載した線香花火等であって、線香火薬を薄紙で包んだ構成としたことを特徴とする線香花火等とする。
線香火薬を薄紙で包むことにより、色彩を有する炎を発光し終わってから線香火花を発光し始めるまでの時間を少し遅くする効果が得られるからである。
【実施例１】
【０００７】
以下、本発明の実施例１を図１、図２に示し説明する。実施例１の線香花火等１は紙縒部２と火薬部３とで構成した。
火薬部３は、線香火薬４と伝火薬５と薄紙７で包んだ色火薬６の３つの層からなる火薬とし、これを薄紙で紙縒に巻いて包んだ構成とした。
線香火薬４は、硝酸カリウム５０％（重量％以下同じ。）、硫黄１５％、木炭粉１５％、松脂２０％の配合とした。伝火薬５は、硝酸カリウム６５％、硫黄１５％、木炭粉２０％の配合とした。色火薬６は、過塩素酸カリウム２０％、硝酸バリウム４０％、マグナリウム２０％、ポリ塩化ビニール１０％、フェノール樹脂５％、チタン５％の配合とした。
実施例１の色火薬６は緑色の火花を発光する。従って、実施例１の線香花火等１に点火すると、しばらくして色火薬６が燃えて緑色の火花を発光し、その後伝火薬５が燃えて線香火薬４に火を伝え、線香火薬４が燃えて線香火花を発光する。
【実施例２】
【０００８】
本発明の実施例２を図３に示し説明する。実施例２の発明は、実施例１の発明に対し、線香火薬４も薄紙８で包んだ点と、色火薬６を赤色を発光する火薬とした点で異なる構成とした。
具体的には色火薬６を、過塩素酸カリウム５０％、炭酸ストロンチウム１５％、チタン５％、フェノール樹脂２％、ポリ塩化ビニール５％、マグナリウム２０％、セラック３％の配合とした。
実施例２の線香花火等に点火すると、しばらくして色火薬６が燃えて赤色の火花を発光し、その後伝火薬５が燃えて線香火薬４に火を伝え、線香火薬４が燃えて線香火花を発光するが、薄紙で包まれているため、実施例１に比べて線香火薬が燃え出すのが少し遅くなる効果が得られる。
【実施例３】
【０００９】
本発明の実施例３の火薬部の断面図は図示していないが、色火薬を白色を発光する火薬とした点で上記実施例１、実施例２の線香花火等と異なる。
具体的には色火薬を、過塩素酸カリウム５０％、アルミニウム１５％、マグナリウム２５％、フェノール樹脂１０％の配合とした。
実施例３の線香花火等に点火すると、しばらくして色火薬が燃えて白色の火花を発光し、その後線香火薬４が燃えて線香火花を発光する。
【００１０】
なお、色火薬の配合は上記の実施例に限定されることはなく、紫、黄、青などの色を発光する多種類の色火薬を使用することが可能である。
【産業上の利用可能性】
【００１１】
本発明は、新たな線香花火等を提供するものであり、主としておもちゃ花火の業界において利用される。
【図面の簡単な説明】
【００１２】
【図１】線香花火等の全体正面図である。
【図２】実施例１の線香花火等の火薬部の部分断面図である。
【図３】実施例２の線香花火等の火薬部の部分断面図である。
【符号の説明】
【００１３】
１  ：線香花火等            ２  ：紙縒部                ３  ：火薬部
４  ：線香火薬              ５  ：伝火薬                ６  ：色火薬
７  ：薄紙                  ８  ：薄紙